【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
高品質の、水素不含ダイヤモンド様炭素表面で被膜したバイオポリマーを含む、細胞の成長および付着のための改良された表面。
【請求項２】
バイオポリマーが生分解性である、請求項１に記載の改良された表面。
【請求項３】
バイオポリマーがシートの形態である、請求項１に記載の改良された表面。
【請求項４】
バイオポリマーが微粒子の形態である、請求項１に記載の改良された表面。
【請求項５】
高品質の、水素不含ダイヤモンド様炭素表面で被膜したバイオポリマー上に神経細胞を播種し、成長させることを含む、培養において神経細胞を成長させる方法。
【請求項６】
バイオポリマーが生分解性である、請求項５に記載の方法。
【請求項７】
バイオポリマーがシートの形態である、請求項５に記載の方法。
【請求項８】
バイオポリマーが微粒子の形態である、請求項５に記載の方法。
【請求項９】
以下のうちの１またはそれ以上を含む付着物質が、合成過程でバイオポリマーに包埋されてまたは組み込まれている、請求項１に記載の改良された表面：ラミニン、フィブロネクチン、RGDS、ポリカルボフィルとコンジュゲートしたbFGF、ポリカルボフィルとコンジュゲートしたEGFおよび硫酸ヘパリン。
【請求項１０】
請求項９に記載の方法を用いて作製したバイオポリマー上に神経細胞を播種し、成長させることを含む、培養において神経細胞を成長させる方法。
【請求項１１】
以下を含む神経細胞シグナルを検出するための装置：
a)  低密度で移殖した神経細胞が増殖し神経突起を伸ばすのに十分な、以下のうちの１またはそれ以上を含む付着物質：ラミニン、フィブロネクチン、RGDS、ポリカルボフィルとコンジュゲートしたbFGF、ポリカルボフィルとコンジュゲートしたEGFおよび硫酸ヘパリンまたは神経成長因子が、合成過程で包埋されてまたは組み込まれているバイオポリマーユニット；
b)  前記神経突起または樹状突起が電気的に連結する部分を有する集積回路チップまたは電荷結合素子；
c)  神経細胞からの電気的シグナルを測定するための検出手段；
d)  前記チップと検出手段を結合させる手段。
【請求項１２】
バイオポリマーユニットが内蔵されている、請求項１１に記載の装置。
【請求項１３】
バイオポリマーユニットが半固体である、請求項１１に記載の装置。
【請求項１４】
神経突起または樹状突起と集積回路チップ間の電気的接触を促すために、合成過程で、以下のうちの１またはそれ以上を含む付着物質で、集積回路チップまたは電荷結合素子を被膜した、請求項１１に記載の装置：神経成長因子またはダイヤモンド様炭素。
【請求項１５】
神経細胞の成長を支持することが可能な半固体バイオポリマーを含む、神経細胞の成長および複製を支持するのに適した３次元増殖培地。
【請求項１６】
「May Polymer」をさらに含む、請求項１５に記載の増殖培地。
【請求項１７】
低密度で移殖した神経細胞が増殖し神経突起を伸ばすのに十分な、以下のうちの１またはそれ以上を含む付着物質：ラミニン、フィブロネクチン、RGDS、ポリカルボフィルとコンジュゲートしたbFGF、ポリカルボフィルとコンジュゲートしたEGFおよび硫酸ヘパリンまたは神経成長因子を、合成過程で「May Polymer」に包埋させたまたは組み込んだ、請求項１６に記載の増殖培地。
【請求項１８】
ポリカルボフィルとコンジュゲートしたbFGFまたは硫酸ヘパリンの濃度が約50μg/mL、ポリカルボフィルとコンジュゲートしたNGFまたは硫酸ヘパリンの濃度が約50μg/mL、ラミニンの濃度が約500μg/mL、RGDSの濃度が約500μg/mLである、請求項１７に記載の増殖培地。
【請求項１９】
ダイヤモンド様炭素で被膜した、神経細胞の成長を支持することが可能な半固体バイオポリマーを含む、神経細胞の成長および複製を支持するのに適した３次元増殖培地。
【請求項２０】
「May Polymer」をさらに含む、請求項１９に記載の増殖培地。
【請求項２１】
低密度で移殖した神経細胞が増殖し神経突起を伸ばすのに十分な、以下のうちの１またはそれ以上を含む付着物質：ラミニン、フィブロネクチン、RGDS、ポリカルボフィルとコンジュゲートしたbFGF、ポリカルボフィルとコンジュゲートしたEGFおよび硫酸ヘパリンまたは神経成長因子を、合成過程で「May Polymer」に包埋させたまたは組み込んだ、請求項１６に記載の増殖培地。
【請求項２２】
バイオポリマーが、ビーズ、シートまたは微粒子状に成形されている、請求項２１に記載の増殖培地。
【請求項２３】
神経細胞をレシピエント宿主へ移殖する方法であって、目的とする神経細胞を請求項１９に記載の増殖培地へ播種し、十分な密度にまで神経細胞を成長させること、および該増殖培地の神経細胞を前記宿主へ移殖することを含む方法。
【請求項２４】
BCE-ECMで被膜した、神経細胞の成長を支持することが可能な半固体バイオポリマーを含む、神経細胞の成長および複製を支持するのに適した３次元増殖培地。
【請求項２５】
以下を含む、請求項２４に記載の増殖培地を作製する方法：
a)  前記３次元増殖培地に、成長に適した培地におけるウシ角膜内皮(BCE)細胞集団を低密度で播種すること；
b)  BCE細胞を密集するまで成長させること；および
c)  培地を吸引し、３次元増殖培地を水酸化アンモニウムで十分な時間処理して細胞を除去すること。
【請求項２６】
BCE-ECMおよびダイヤモンド様炭素で被膜した、神経細胞の成長を支持することが可能な半固体バイオポリマーを含む、神経細胞の成長および複製を支持するのに適した３次元増殖培地。
【請求項２７】
「May Polymer」をさらに含む、請求項２６に記載の増殖培地。
【請求項２８】
低密度で移殖した神経細胞が増殖し神経突起を伸ばすのに十分な、以下のうちの１またはそれ以上を含む付着物質：ラミニン、フィブロネクチン、RGDS、ポリカルボフィルとコンジュゲートしたbFGF、ポリカルボフィルとコンジュゲートしたEGFおよび硫酸ヘパリンまたは神経成長因子を、合成過程で「May Polymer」に包埋させたまたは組み込んだ、請求項２７に記載の増殖培地。
【請求項２９】
バイオポリマーが、ビーズ、シートまたは微粒子状に成形されている、請求項２６に記載の増殖培地。
【請求項３０】
内側表面および外側表面を持ち、内側表面は細胞および細胞培地と接触する面であり、その内側表面がダイヤモンド様被膜フィルムで被膜されている実験室器具を含む、細胞の成長および付着を誘導するのに適した被膜を有する実験室器具。
【請求項３１】
細胞培養皿、ペトリ皿、組織培養フラスコ、プレート、瓶類、スライド、フィルターチャンバー、ローラーボトル、ハーベスターおよび管類からなる群から選択される、請求項３０に記載の器具。
【請求項３２】
少なくとも１の他の被膜の上に重ねてダイヤモンド様被膜フィルムを被膜した実験室器具を含む、細胞の成長および付着を誘導するのに適した被膜を有する実験室器具。
【請求項３３】
該他の被膜が細胞外マトリックスである、請求項３２に記載の器具。
【請求項３４】
該他の被膜がBCE-ECMである、請求項３３に記載の器具。
【請求項３５】
内側表面にダイヤモンド様被膜フィルムを適用することを含む、細胞の成長および付着を誘導するのに適した実験室器具を被膜する方法。
【請求項３６】
初めにBCE-ECMなどの少なくとも１の他の被膜で実験室器具の内側表面を被膜し、次いでダイヤモンド様被膜で被膜することをさらに含む、請求項３５に記載の方法。
【請求項３７】
請求項３５に記載の方法によって作製した器具。
【請求項３８】
請求項３６に記載の方法によって作製した器具。
【請求項３９】
高品質の、水素不含ダイヤモンド様炭素表面で被膜した合成バイオポリマーを含む、細胞の成長および付着のための改良された表面。
【請求項４０】
合成ポリマーが、メタクリル酸ポリメチル、ポリ-N-イソプロピルアクリルアミドまたはポリ-2-ヒドロキシメタクリル酸のようなアクリル系ポリマーおよびその誘導体またはコポリマーまたはポリビニルアルコールおよびその誘導体およびコポリマーである、請求項３９に記載の改良された表面。